Podtech/llm-jp-corpus-v4-ja_patent huggingface dataset:
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて打ち込まれた遊技球を受け入れ困難な閉状態と当該閉状態よりも遊技球を受け入れ容易な開状態との間で開閉動作可能な開閉装置と、
前記遊技領域に向けて打ち込まれた遊技球の入球確率が高められるように動作する可動部材を有して設けられる始動口と、
前記始動口に遊技球が入球されることに応じて、第１のノーマル出玉当たり、及び該第１のノーマル出玉当たりよりも遊技者に有利な第２のノーマル出玉当たりを含む大当たりについての当落にかかる抽選処理を含めて遊技の進行にかかる複数の処理をデータメモリに格納された制御データに基づいて順次実行する主制御手段と、
所定の画像が演出表示される表示面を有する演出画像表示装置と、
前記主制御手段による前記抽選処理の結果に応じた演出画像が前記演出画像表示装置の表示面に表示される演出制御を行う副制御手段と、を備え、
前記抽選処理にて前記大当たりが当選されたときは、前記開閉装置が開閉動作される大当たり遊技が行われる遊技機であって、
前記主制御手段は、
前記抽選処理にて前記第１のノーマル出玉当たり及び前記第２のノーマル出玉当たりのいずれかが当選されたとき、前記副制御手段によって前記大当たりに当選した旨を示す演出画像が前記演出画像表示装置の表示面に表示される状況のもとで前記開閉装置を開閉動作させる遊技実行手段、及び
前記第１のノーマル出玉当たり及び前記第２のノーマル出玉当たりのいずれかの当選に応じた大当たり遊技が行われた後に、前記可動部材が動作するときの動作態様が前記データメモリが初期化された状態にあるイニシャル時と同様とされるノーマル遊技状態に移行させる遊技状態移行手段、及び
前記第１のノーマル出玉当たりの当選を実行契機とする大当たり遊技が行われた後の第１の所定期間に、前記イニシャル時に採用される大当たりの当選確率Ａをもって前記抽選処理を行う低確抽選手段、及び
前記第２のノーマル出玉当たりの当選を実行契機とする大当たり遊技が行われた後の第２の所定期間に、前記大当たりの当選確率Ａよりも高確率とされた当選確率Ｂをもって前記抽選処理を行う高確抽選手段、及び
前記始動口に遊技球が入球されることに応じて、遊技状態が維持される状態維持当たりを選出するか否かの決定処理を行う状態維持当たり選出手段、を備え、
前記ノーマル遊技状態においては、
ａ．前記第１のノーマル出玉当たり及び前記第２のノーマル出玉当たりは、前記ノーマル遊技状態にあるときの前記抽選処理が前記当選確率Ａ及び前記当選確率Ｂの二重標準をもって行われるようにそれらの当たり分配率がそれぞれ設定されていること、及び
ｂ．前記低確抽選手段により前記抽選処理が行われる状態と前記高確抽選手段により前記抽選処理が行われる状態とで同一の遊技状態にあることが遊技者に示唆されること
の２つの条件が満たされているもとで、前記低確抽選手段及び前記高確抽選手段のいずれかによって前記大当たりについての抽選処理を行うものであり、
前記副制御手段は、
前記ノーマル遊技状態にあるとき、前記大当たりについての当落にかかる抽選処理が前記高確抽選手段によって行われる期間を含めて、特定の演出条件を達成すべき旨の指令が前記演出画像表示装置の表示面中に演出表示される演出状態である高期待指令演出モードに移行させる演出制御を行う高期待演出制御手段を備え、
前記高期待演出制御手段による前記高期待指令演出モード中に前記第１のノーマル出玉当たり及び前記第２のノーマル出玉当たりのいずれかが当選されたときは、前記演出画像表示装置の表示面中に演出表示されている前記特定の演出条件が達成されるように前記演出制御を行うことによって前記大当たりに当選したことを遊技者に示唆する
ことを特徴とする遊技機。
【請求項２】
前記主制御手段は、前記始動口への遊技球の入球があった旨判断されることに基づいて乱数を取得し、該取得した乱数に基づいて前記抽選処理を行うものである
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて打ち込まれた遊技球を受け入れ困難な閉状態と当該閉状態よりも遊技球を受け入れ容易な開状態との間で開閉動作可能な開閉装置と、
前記遊技領域に向けて打ち込まれた遊技球の入球確率が高められるように動作する可動部材を有して設けられる始動口と、
前記始動口に遊技球が入球されることに応じて、大当たりについての当落にかかる抽選処理を含めて遊技の進行にかかる複数の処理をデータメモリに格納された制御データに基づいて順次実行する主制御手段と、
所定の画像が演出表示される表示面を有する演出画像表示装置と、
前記主制御手段による前記抽選処理の結果に応じた演出画像が前記演出画像表示装置の表示面に表示される演出制御を行う副制御手段と、を備え、
前記抽選処理にて前記大当たりが当選されたときは、前記開閉装置が開閉動作される大当たり遊技が行われる遊技機であって、
前記大当たりは、第１のノーマル出玉当たり、及び該第１のノーマル出玉当たりよりも遊技者に有利な第２のノーマル出玉当たり、及び前記第２のノーマル出玉当たりとしての遊技価値を異ならしめる覚醒遊技状態に移行する契機となる覚醒当たりを含むものであり、
前記主制御手段は、
前記第１のノーマル出玉当たり及び前記第２のノーマル出玉当たりのいずれかが当選されたとき、前記副制御手段によって前記大当たりに当選した旨を示す演出画像が前記演出画像表示装置の表示面に表示される状況のもとで前記開閉装置を開閉動作させる第１の遊技実行手段、及び
前記覚醒当たりが当選されたとき、前記副制御手段によって前記大当たりに当選した旨を示す演出画像が前記演出画像表示装置の表示面に表示されない状況のもとで前記開閉装置を開閉動作させる第２の遊技実行手段、及び
前記第１のノーマル出玉当たりの当選に応じた大当たり遊技が行われた後に、前記可動部材が動作するときの動作態様が前記データメモリが初期化された状態にあるイニシャル時と同様とされるノーマル遊技状態に移行させる第１の遊技状態移行手段、及び
前記覚醒当たりの当選に応じた大当たり遊技が行われた後に、前記第２のノーマル出玉当たりとしての遊技価値を異ならしめる前記覚醒遊技状態に移行させる第２の遊技状態移行手段、及び
前記第２のノーマル出玉当たりが当選されたとき、前記覚醒遊技状態にあるか否かを判断する覚醒判断手段、及び
前記覚醒判断手段により前記覚醒遊技状態にない旨判断されたときは、前記第２のノーマル出玉当たりの当選に応じた大当たり遊技が行われた後に、前記可動部材が動作するときの動作態様が前記イニシャル時と同様とされるノーマル遊技状態に移行させる一方で、前記覚醒判断手段により前記覚醒遊技状態にある旨判断されたときは、前記第２のノーマル出玉当たりの当選に応じた大当たり遊技が行われた後に、前記可動部材が動作するときの動作態様が前記イニシャル時よりも遊技者に有利な動作態様に変更されるチャンス遊技状態に移行させる第３の遊技状態移行手段、及び
前記第１のノーマル出玉当たりの当選を実行契機とする大当たり遊技が行われた後の第１の所定期間に、前記イニシャル時に採用される大当たりの当選確率Ａをもって前記抽選処理を行う低確抽選手段、及び
前記第２のノーマル出玉当たりの当選を実行契機とする大当たり遊技が行われた後の第２の所定期間に、前記大当たりの当選確率Ａよりも高確率とされた当選確率Ｂをもって前記抽選処理を行う高確抽選手段、を備えるものであり、
前記第１の遊技状態移行手段は、
前記第１のノーマル出玉当たりが当選されたとき、前記チャンス遊技状態にあるか否かを判断する判断手段、及び
前記判断手段により前記チャンス遊技状態にある旨判断されたとき、前記ノーマル遊技状態への移行に先立って、前記第２のノーマル出玉当たりとしての遊技価値を異ならしめる前記覚醒遊技状態に所定の引き戻し期間だけ移行させる引き戻し遊技状態移行手段を備える
ことを特徴とする遊技機。
【請求項２】
前記主制御手段は、前記始動口への遊技球の入球があった旨判断されることに基づいて乱数を取得し、該取得した乱数に基づいて前記抽選処理を行うものである
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて打ち込まれた遊技球を受け入れ困難な閉状態と当該閉状態よりも遊技球を受け入れ容易な開状態との間で開閉動作可能な開閉装置と、
前記遊技領域に向けて打ち込まれた遊技球の入球確率が高められるように動作する可動部材を有して設けられる始動口と、
前記始動口に遊技球が入球されることに応じて、大当たりについての当落にかかる抽選処理を含めて遊技の進行にかかる複数の処理をデータメモリに格納された制御データに基づいて順次実行する主制御手段と、
所定の画像が演出表示される表示面を有する演出画像表示装置と、
前記主制御手段による前記抽選処理の結果に応じた演出画像が前記演出画像表示装置の表示面に表示される演出制御を行う副制御手段と、を備え、
前記抽選処理にて前記大当たりが当選されたときは、前記開閉装置が開閉動作される大当たり遊技が行われた後、前記可動部材が動作するときの動作態様が前記データメモリが初期化された状態にあるイニシャル時と同様とされるノーマル遊技状態、及び前記可動部材が動作するときの動作態様が前記イニシャル時よりも遊技者に有利な動作態様に変更されるチャンス遊技状態のいずれかに移行される遊技機であって、
前記大当たりは、ノーマル当たり、及び該ノーマル当たりよりも遊技者に有利なチャンス当たり、及び前記ノーマル当たり及び前記チャンス当たりの当たり分配率を状況に応じて変化せしめる増援当たりを含むものであり、
前記主制御手段は、
前記ノーマル当たりが当選されたとき、当該ノーマル当たりに応じた大当たり遊技が行われた後、前記可動部材が動作するときの動作態様が前記イニシャル時と同様とされる前記ノーマル遊技状態に移行させる第１の状態移行手段、及び
前記チャンス当たりが当選されたとき、当該チャンス当たりに応じた大当たり遊技が行われた後、前記可動部材が動作するときの動作態様が前記イニシャル時よりも遊技者に有利な動作態様に変更される前記チャンス遊技状態に移行させる第２の状態移行手段のほか、
前記ノーマル遊技状態において前記増援当たりが当選されたとき、当該増援当たりに応じた大当たり遊技が行われた後、前記可動部材が動作するときの動作態様が前記イニシャル時と同様とされる前記ノーマル遊技状態に移行させる一方で、前記チャンス遊技状態において前記増援当たりが当選されたときは、当該増援当たりに応じた大当たり遊技が行われた後、前記可動部材が動作するときの動作態様が前記イニシャル時よりも遊技者に有利な動作態様に変更される前記チャンス遊技状態に移行させる第３の状態移行手段、を備えることで、前記チャンス遊技状態への突入率に対してその継続率を大幅に高めるようにした
ことを特徴とする遊技機。
【請求項２】
前記主制御手段は、前記始動口への遊技球の入球があった旨判断されることに基づいて乱数を取得し、該取得した乱数に基づいて前記抽選処理を行うものである
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
エンジンにより駆動される交流発電機と、該交流発電機からの第１の交流電力を直流電力に変換する整流器と、該直流電力を第２の交流電力に変換するインバータと、該変換された第２の交流電力により駆動輪を駆動するモータと、該交流発電機およびモータの動作を制御する制御装置とを有する駆動制御装置において、
前記整流器と前記インバータとを接続している直流リンク部に設けた該直流リンク部の電圧を計測する直流電圧検出手段と、
該検出した直流電圧が上昇し、所定の電圧値に達したことを前記直流電圧検出手段により検出した時点で前記交流発電機の界磁巻線への供給電流を流す方向を逆転し、逆方向の界磁電流として通電する界磁電流逆転手段とを有することを特徴とする駆動制御装置。
【請求項２】
請求項１に記載の駆動制御装置において、
前記界磁電流逆転手段は、前記検出した直流電圧が上昇し、第１の所定の電圧値に達したことを前記直流電圧検出手段により検出した時点において、前記交流発電機の界磁電流方向を逆転し、該界磁電流の方向を逆転した時刻から所定の時間だけ該逆方向の界磁電流を前記交流発電機の界磁巻線に通電した後、該逆方向の界磁電流の供給を停止する制御手段を有することを特徴とする駆動制御装置。
【請求項３】
請求項１に記載の駆動制御装置において、
前記界磁電流逆転手段は、前記検出した直流電圧が上昇し、第１の所定の電圧値に達したことを前記直流電圧検出手段により検出した時点において、前記交流発電機の界磁電流の方向を逆転し、
前記直流電圧検出手段において前記直流リンク部の電圧が第２の所定の電圧値に達したことを検出したところで前記逆方向の界磁電流を遮断することを特徴とする駆動制御装置。
【請求項４】
請求項１または請求項２に記載の駆動制御装置において、
前記整流器と前記インバータとの間に設けられている直流リンク部に電圧抑制素子を設け、該電圧抑制素子が動作を開始する第３の電圧値が、直流リンク部の負荷回路となる前記インバータを含む周辺回路における回路素子の耐圧の最低電圧値よりも低い値であることを特徴とする駆動制御装置。
【請求項５】
請求項１乃至請求項３の何れかに記載の駆動制御装置において、
前記界磁電流逆転手段は４個のスイッチング素子を有し、これら４個のスイッチング素子のうち、第１、第２のスイッチング素子及び第３、第４のスイッチング素子をそれぞれ直列に接続し、
前記第１のスイッチング素子の開放側端子と、前記第３のスイッチング素子の開放側端子とをそれぞれ互いに接続し、前記第２及び前記第４のスイッチング素子の開放側端子もそれぞれ互いに接続し、
該互いに接続した前記第１、前記第３のスイッチング素子の接続点と、前記第２、前記第４の接続点との間に前記直流リンク部の直流電圧を印加し、
前記２組の直列接続されている電力スイッチング素子のそれぞれ直列接続している２つの接続点間に前記交流発電機の界磁巻線を接続した構成とし、
前記第１及び前記第４のスイッチング素子が同時に導通状態で、且つ前記第２及び前記第３のスイッチング素子が同時に遮断状態、あるいは前記第１及び前記第４のスイッチング素子が同時に遮断状態で、且つ前記第２及び前記第３のスイッチング素子が同時に導通状態になるように切替えることによって界磁電流を逆転させることを特徴とする駆動制御装置。
【手続補正２】
【補正対象書類名】明細書
【補正対象項目名】発明の名称
【補正方法】変更
【補正の内容】
【発明の名称】駆動制御装置
【手続補正３】
【補正対象書類名】明細書
【補正対象項目名】０００１
【補正方法】変更
【補正の内容】
【０００１】
本発明は、ハイブリッド車における界磁巻線型モータの制御系における過電圧発生時の安全処置技術に係る。
【手続補正４】
【補正対象書類名】明細書
【補正対象項目名】０００７
【補正方法】変更
【補正の内容】
【０００７】
以上述べたように、従来公知の四輪駆動制御装置が運転中に、例えばインバータが故障等の原因によりその動作を停止した時、動作停止直後の直流リンク部における一時的な電圧上昇による周辺電子部品の損傷、あるいは過渡的な大電流による電圧抑制素子の過熱等の問題があった。本発明においてはこれらの問題を解決するためのフェールセーフ回路を形成し、信頼性の高い駆動制御装置の提供を目的とした。
【手続補正５】
【補正対象書類名】明細書
【補正対象項目名】０００９
【補正方法】変更
【補正の内容】
【０００９】
本発明により、作動中のインバータが停止した場合、交流発電機内の残留磁場等の影響により過渡的に発生する直流リンク部の直流電圧の上昇を抑え、過電圧による電子部品の破損の防止精度を向上し、信頼性の高い駆動制御装置の実現を可能とした。
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
界磁コイルを界磁とし内燃機関で駆動されて発電する発電機と、
前記発電機の発電電力が供給されて駆動輪を駆動するモータと、
電力を蓄える第１蓄電装置と、
前記第１蓄電手段よりも高い電圧を発生可能な第２蓄電装置と、
前記第１蓄電装置及び前記第２蓄電装置のうち、より電圧が高いものに蓄えられている電力によって前記界磁コイルに電流を供給する電流供給手段と、
前記モータの誘起起電力を用いて前記第２蓄電装置を充電する充電手段と、を備えたことを特徴とする車両用駆動制御装置。
【請求項２】
前記第２蓄電装置は、一方の電極が前記発電機の出力端子及び前記界磁コイルの入力端子に接続され、他方の電極が接地されたコンデンサであり、
前記電流供給手段は、前記コンデンサの電圧が前記第１蓄電手段の電圧より高い場合には前記コンデンサに蓄えられている電力によって前記界磁コイルに電流を供給し、前記コンデンサの電圧が前記第１蓄電手段の電圧以下である場合には前記第１蓄電手段に蓄えられている電力によって前記界磁コイルに電流を供給することを特徴とする請求項１に記載の車両用駆動制御装置。
【請求項３】
前記駆動輪の駆動指令が入力されると、前記モータによる駆動輪の駆動制御を開始する駆動制御開始手段を備え、
前記充電手段は、前記モータによる前記駆動輪の駆動制御が停止された後、前記駆動輪の駆動指令が入力されると、当該駆動輪の駆動制御が再開される前に、前記モータの誘起起電力を用いて前記第２蓄電装置を充電することを特徴とする請求項１又は２に記載の車両用駆動制御装置。
【請求項４】
前記モータは、交流モータであり、
前記充電手段は、前記モータによる前記駆動輪の駆動制御が停止されているときに、前記モータの回転が停止するように前記モータに供給される電力の電圧位相を制御するインバータを備え、
前記インバータは、前記駆動輪の駆動指令が入力されると、前記交流モータの誘起起電力の電圧が前記発電機の発電電力の電圧より大きくなるように前記交流モータに供給される電力の電圧位相を制御することを特徴とする請求項３に記載の車両用駆動制御装置。
【請求項５】
内燃機関で界磁コイルを界磁とする発電機を駆動し、その発電機の出力電力によって駆動輪をモータで駆動し、さらに、電力を蓄える第１蓄電装置及び前記第１蓄電装置よりも高い電圧を発生可能な第２蓄電装置のうち、より電圧が高いものに蓄えられている電力によって前記界磁コイルに電流を供給する車両用駆動制御方法であって、
前記モータの誘起起電力を用いて前記第２蓄電装置を充電することを特徴とする車両用駆動制御方法。
【手続補正２】
【補正対象書類名】明細書
【補正対象項目名】０００１
【補正方法】変更
【補正の内容】
【０００１】
本発明は、内燃機関で発電した電力によって駆動輪をモータで駆動する車両用駆動制御装置及び車両用駆動方法に関する。
【手続補正書】
【提出日】平成22年2月22日(2010.2.22)
【手続補正１】
【補正対象書類名】特許請求の範囲
【補正対象項目名】請求項１
【補正方法】変更
【補正の内容】
【請求項１】
内燃機関と、内燃機関で駆動される発電機と、発電機の発電電力を電力変換して出力するインバータと、インバータの出力電圧が供給されて駆動輪を駆動する交流モータと、発電機の出力電圧及び出力電流で特定される動作点であって、モータトルク指令値に応じた最適動作点を算出する最適動作点設定手段と、上記最適動作点に応じて上記インバータの出力電圧を矩形波制御若しくは変調率を固定したＰＷＭ制御で制御するモータ制御部と、上記最適動作点に対応した発電機の出力となるように発電機の界磁を制御する発電制御手段と、を備えた車両の駆動力制御装置において、
発電状態に基づき、発電電圧の電圧変動が所定電圧偏差内に収まる、最適動作点の上限最適動作点及び下限最適動作点を算出する最適動作点限界設定手段と、
最適動作点限界設定手段で算出した上限最適動作点と下限最適動作点との間の範囲に、最適動作点設定手段で算出した最適動作点を制限する最適動作点制限手段とを備えることを特徴とする車両の駆動力制御装置。
【手続補正２】
【補正対象書類名】明細書
【補正対象項目名】０００７
【補正方法】変更
【補正の内容】
【０００７】
上記課題を解決するために、本発明は、内燃機関で駆動される発電機の発電電力を、インバータを介して交流モータに供給し、モータトルク指令値に応じた最適動作点をとるようにして上記インバータの出力電圧を矩形波制御若しくは変調率を固定したＰＷＭ制御で制御すると共に、上記最適動作点に対応した発電機の出力となるように発電機の界磁を制御する車両の駆動力制御装置において、
発電状態に基づき最適動作点の上限最適動作点及び下限最適動作点を算出し、その上限最適動作点と下限最適動作点との間の範囲に、最適動作点を制限することを特徴とするものである。
【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
（Ｅ）−［５−［２−［１−フェニル−１−（３−ピリジル）メチリデンアミノオキシ］エチル］−７，８−ジヒドロナフタレン−１−イルオキシ］酢酸またはその塩、および生体内分解性重合物を含有する持続性製剤。
【請求項２】
持続性製剤がマイクロスフェア製剤である請求項１記載の剤。
【請求項３】
心筋梗塞または狭心症の予防および／または治療剤である請求項１または２記載の剤。
【請求項４】
（Ｅ）−［５−［２−［１−フェニル−１−（３−ピリジル）メチリデンアミノオキシ］エチル］−７，８−ジヒドロナフタレン−１−イルオキシ］酢酸またはその塩、および生体内分解性重合物を含有する持続性製剤を有効成分として含有する、心筋梗塞または狭心症の予防および／または治療のための、血管内皮細胞増殖因子（ＶＥＧＦ）または肝細胞増殖因子（ＨＧＦ）産生促進剤。
【請求項５】
（Ｅ）−［５−［２−［１−フェニル−１−（３−ピリジル）メチリデンアミノオキシ］エチル］−７，８−ジヒドロナフタレン−１−イルオキシ］酢酸またはその塩、および生体内分解性重合物を含有する持続性製剤を有効成分として含有する、血管内皮細胞増殖因子（ＶＥＧＦ）または肝細胞増殖因子（ＨＧＦ）産生促進剤からなる、心筋梗塞または狭心症の予防および／または治療剤。
【請求項６】
持続性製剤がマイクロスフェア製剤である請求項４または５記載の剤。
【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
微粒子を調製する方法であって、該方法は、以下：
（ａ）第１の相を調製する工程であって、該第１の相は、溶媒、活性剤およびポリマーを含む、工程；
（ｂ）溶媒を含む第２の相を調製する工程；
（ｃ）該第１の相および該第２の相を、層流条件下で充填層装置に通して通過させる工程であって、該充填層装置が充填材料を含み、該充填材料が、金属、セラミック、プラスチックおよびガラスからなる群より選択され、そして該充填材料が、直径２０ミクロン〜１０００ミクロンのサイズ範囲にある球状ビーズであり、ここで該方法は、微粒子の形成をもたらす、工程；ならびに
（ｄ）該活性剤を含む該微粒子を収集する工程、
を包含する、方法。
【請求項２】
微粒子を調製する方法であって、該方法は、以下：
（ａ）第１の相を調製する工程であって、該第１の相は、溶媒および活性剤を含む、工程；
（ｂ）溶媒およびポリマーを含む第２の相を調製する工程；
（ｃ）溶媒を含む第３の相を調製する工程；
（ｄ）該第１の相と該第２の相とを組み合わせてエマルジョンを作製する工程；
（ｅ）該エマルジョンを、該第３の相と一緒に層流条件下で充填層装置に通して通過させる工程であって、該充填層装置が充填材料を含み、該充填材料が、金属、セラミック、プラスチックおよびガラスからなる群より選択され、そして該充填材料が、直径２０ミクロン〜１０００ミクロンのサイズ範囲にある球状ビーズであり、ここで該方法は、微粒子の形成をもたらす、工程；ならびに
（ｆ）該活性剤を含む該微粒子を収集する工程、
を包含する、方法。
【請求項３】
前記充填材料が、ガラスおよびステンレス鋼からなる群より選択される、請求項１〜２のいずれか１項に記載の方法。
【請求項４】
前記溶媒を含む第１の相が、有機溶媒および水からなる群より選択される、請求項１〜２のいずれか１項に記載の方法。
【請求項５】
前記有機溶媒が、塩化メチレン、クロロホルム、酢酸エチル、ベンジルアルコール、ジエチルカーボネートおよびメチルエチルケトンからなる群より選択される、請求項４に記載の方法。
【請求項６】
前記溶媒を含む第２の相が、有機溶媒および水からなる群より選択される、請求項１〜５のいずれか１項に記載の方法。
【請求項７】
前記溶媒が水である、請求項６に記載の方法。
【請求項８】
前記第２の相が、エマルジョン安定剤をさらに含む、請求項１〜７のいずれか１項に記載の方法。
【請求項９】
前記エマルジョン安定剤が、ポリ（ビニルアルコール）、ポリソルベート、タンパク質、およびポリ（ビニルピロリドン）からなる群より選択される、請求項８に記載の方法。
【請求項１０】
前記タンパク質が、アルブミンである、請求項９に記載の方法。
【請求項１１】
前記第２の相が、第２の溶媒をさらに含む、請求項１〜１０のいずれか１項に記載の方法。
【請求項１２】
前記溶媒が、有機溶媒および水からなる群より選択される、請求項１１に記載の方法。
【請求項１３】
請求項１〜１２のいずれか１項に記載の方法であって、前記活性剤が、抗酸化剤、空隙率賦活剤、溶媒、塩、化粧品、食品添加剤、織物用化学物質、農業用化学物質、可塑剤、安定剤、色素、乳白剤、接着剤、殺虫剤、芳香剤、防汚剤、染料、塩、油、インク、化粧品、触媒、界面活性剤、硬化剤、矯味矯臭剤、食品、燃料、除草剤、金属、塗料、写真用薬剤、殺生剤、色素、可塑剤、推進剤、溶媒、安定剤、ポリマー添加剤、有機分子、無機分子、抗感染剤、細胞毒、降圧剤、抗真菌剤、抗精神病剤、抗体、タンパク質、ペプチド、抗糖尿病剤、免疫促進剤、免疫抑制剤、抗生物質、抗ウイルス剤、抗痙攣剤、抗ヒスタミン剤、心血管作用剤、抗凝固剤、ホルモン、抗マラリア剤、鎮痛剤、麻酔剤、核酸、ステロイド、アプタマー、ホルモン、ステロイド、血液凝固因子、造血因子、サイトカイン、インターロイキン、コロニー刺激因子、増殖因子、増殖因子アナログおよびそのフラグメントからなる群より選択される、方法。
【請求項１４】
請求項１〜１３のいずれか１項に記載の方法であって、前記ポリマーが、ポリ（ｄ，ｌ−乳酸）、ポリ（ｌ−乳酸）、ポリ（グリコール酸）、ポリ（ｄ，ｌ−ラクチド−ｃｏ−グリコリド）（ＰＬＧＡ）を含む前記ポリマーのコポリマー、ポリ（カプロラクトン）、ポリ（オルトエステル）、ポリ（アセタール）、およびポリ（ヒドロキシブチレート）からなる群より選択される、方法。
【請求項１５】
前記第１の相が、水ベースの溶液を含む、請求項２に記載の方法。
【請求項１６】
前記第２の相が、有機溶媒を含む、請求項２に記載の方法。
【請求項１７】
請求項２に記載の方法であって、前記第１の相および前記第２の相が、充填層装置、ミキサー、ソニケーター、ボルテクサー、およびホモジナイザーからなる群より選択される装置においてエマルジョンを作製する、方法。
【請求項１８】
請求項１〜１７のいずれか１項に記載の方法によって獲得し得る、微粒子。
【請求項１９】
生物学的薬剤または化学的薬剤を含むエマルジョンベースの微粒子の調製のための装置であって、該装置は、（１）容器；および（２）該容器中に配置される充填材料を備え、該充填材料が、金属、セラミック、プラスチックおよびガラスからなる群より選択され、そして該充填材料が、直径２０ミクロン〜１０００ミクロンのサイズ範囲にある球状ビーズである、装置。
【請求項２０】
前記充填材料が、ガラスまたはステンレス鋼である、請求項１９に記載の装置。
【請求項２１】
請求項１９に記載の装置であって、該装置が、前記容器内に前記充填材料を封入し得る材料をさらに備える、装置。
【請求項２２】
本明細書中に記載される発明。
【手続補正書】
【提出日】平成22年6月25日(2010.6.25)
【手続補正１】
【補正対象書類名】明細書
【補正対象項目名】００２０
【補正方法】変更
【補正の内容】
【００２０】
本発明において、ショ糖脂肪酸エステルとポリオキシエチレン硬化ヒマシ油は併用してもよいし、単独で使用してもよく、ショ糖脂肪酸エステルおよび／またはポリオキシエチレン硬化ヒマシ油の使用量は、いずれを使用する場合であっても、それぞれ脂肪酸モノグリセリド１重量部に対して０．０１重量部〜１．０重量部、さらに０．０２重量部〜０．５重量部、特に０．０４重量部〜０．２重量部が好ましい。また、これらの合計量としては、脂肪酸モノグリセリド１重量部に対して０．０２〜２．０重量部、さらに０．０４〜１．０重量部、特に０．０８〜０．４重量部が好ましい。
【手続補正２】
【補正対象書類名】明細書
【補正対象項目名】００３０
【補正方法】変更
【補正の内容】
【００３０】
【表１】
2010120873.tif 000001
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
遊技機設置島に取り付けられる縦長矩形状の外枠と、
前記外枠の前面一側に軸支されて開閉自在に設けられた本体枠と、
前記本体枠内に収められ、略円形状の遊技領域が形成された遊技板部と、
前記略円形状の遊技領域が認識可能とされる開口窓部を有し、前記本体枠に対して開閉自在に設けられる前面扉枠と、
前記発射装置から打ち出された遊技球のうち、前記遊技領域を流下する遊技球が入球される始動口と、
前記発射装置から打ち出された遊技球のうち、前記遊技領域の最下端部まで到達した遊技球を回収するように設けられたアウト口と、
前記発射装置から打ち出された遊技球のうち、前記遊技領域の所定の投入箇所まで至らなかった遊技球であるファール球を回収するように設けられたファール口と、
前記遊技領域に設けられる前記始動口に入球されたことに基づいて大当たりについての抽選処理を行う抽選制御装置と、
前記抽選制御装置により前記大当たりが当選されたときに開放される大入賞口に遊技球が入球されたことに基づいて当該大入賞口への遊技球の入球数に応じた分だけの遊技球を遊技者に払い出す払出装置と、を備え、
前記ファール口は、前記アウト口に対して略水平の位置に設けられてなり、
前記前面扉枠の前記開口窓部は、前記略円形状の遊技領域に対し、遊技者側から見て前記ファール口が認識可能とされるようにその下端の間口が広げられた非円形状をもって形成されてなる
ことを特徴とする遊技機。
【請求項２】
請求項１に記載の遊技機において、
遊技者が操作可能な操作ハンドルがさらに設けられてなり、該操作ハンドルの操作に応じて前記遊技領域に遊技球が打ち込まれる遊技機。
【請求項３】
前記操作ハンドルは、前記前面扉枠にて設けられてなる
請求項２に記載の遊技機。
【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
被検体の組織から計測された超音波断層データに基づいて、前記被検体の断層面の組織の弾性情報を求める手段と、該弾性情報に基づいて弾性画像を生成する手段と、
前記被検体の断層面を切り替えて生成された前記弾性画像のボリュームデータから、前記被検体の組織に加わる圧力又は組織の変位が同等な状態で生成された弾性画像を選択し、該選択された弾性画像を合成して３次元弾性画像を生成する手段と、前記３次元弾性画像を表示する表示手段とを備えてなる超音波診断装置。
【請求項２】
前記弾性画像を生成する手段は、前記被検体の断層面ごとに複数の弾性画像を生成し、前記３次元弾性画像を生成する手段は、各断層面の複数の弾性画像から前記被検体の組織に加わる圧力又は組織の変位が同等な状態で生成された弾性画像を選択し、該選択された弾性画像を合成することを特徴とする請求項１に記載の超音波診断装置。
【請求項３】
前記超音波断層データに基づいて、前記被検体の断層面の組織の断層画像を生成する手段を備え、前記３次元弾性画像を生成する手段は、１の断層面の断層画像から基準断層画像を設定し、該基準断層画像との相関演算係数が最も高い断層画像を他の断層面ごとに選択するとともに、前記基準断層画像に対応する弾性画像と、他の断層面ごとに選択された断層画像に対応する弾性画像とを合成することを特徴とする請求項２に記載の超音波診断装置。
【請求項４】
前記超音波断層データに基づいて、前記被検体の断層面の組織の断層画像を生成する手段を備え、前記３次元弾性画像を生成する手段は、１の断層面の断層画像から基準断層画像を設定し、該基準断層画像との相関演算係数が最も高い弾性画像を前記１の断層面を含むボリュームに隣接するボリューム内から選択して選択断層画像とするとともに、該選択断層画像を次の相関演算の基準断層画像とする処理を、順次隣接する断層面間で相関演算を行いながら繰り返し、
１の断層面の基準断層画像に対応する弾性画像と、各隣接断層面の選択断層画像に対応する弾性画像とを合成することを特徴とする請求項２に記載の超音波診断装置。
【請求項５】
前記被検体の組織に加わる圧力の変化に伴う組織の変位量を前記表示手段に表示するとともに、該表示手段上で前記１の断層面の基準断層画像を設定可能とすることを特徴とする請求項３又は４に記載の超音波診断装置。
【請求項６】
前記表示手段上で前記１の断層面の基準弾性画像が設定されたときの断層面ごとの相関演算係数を、組織の変位量の表示とともに前記表示手段に表示することを特徴とする請求項５に記載の超音波診断装置。
【請求項７】
前記被検体の組織に加わる圧力を検出する圧力検出手段を備え、前記３次元弾性画像を生成する手段は、検出された圧力値に基づいて前記各断層面の前記被検体の組織に加わる圧力が同等な状態で生成された弾性画像を選択して合成することを特徴とする請求項２に記載の超音波診断装置。
【請求項８】
前記検出された圧力値を前記表示手段に表示するとともに、前記表示手段上で基準圧力値を設定する手段を備え、前記３次元弾性画像を生成する手段は、設定された基準圧力値に最も近い状態で生成された弾性画像を断層面ごとに選択して合成することを特徴とする請求項７に記載の超音波診断装置。
【請求項９】
前記被検体の組織に加わる圧力の変化は、超音波探触子による被検体への加圧及び減圧によって行われるとともに、該超音波探触子の前記加圧及び減圧方向の位置を検出する位置検出手段を備え、前記３次元弾性画像を生成する手段は、検出された位置情報に基づいて前記各断層面の前記被検体の組織に加わる圧力又は組織の変位が同等な状態で生成された弾性画像を選択して合成することを特徴とする請求項２に記載の超音波診断装置。
【請求項１０】
前記設定された超音波探触子の位置情報を前記表示手段に表示するとともに、前記表示手段上で基準位置を設定する手段を備え、前記３次元弾性画像を生成する手段は、設定された基準位置に最も近い状態で生成された弾性画像を断層面ごとに選択して合成することを特徴とする請求項９に記載の超音波診断装置。
【請求項１１】
前記被検体の組織に加わる圧力の変化に伴う組織の変位方向の変化に対応して、前記被検体の断層面を他の断層面に切り替えることを特徴とする請求項１又は２に記載の超音波診断装置。
【請求項１２】
前記３次元弾性画像を生成する手段は、前記３次元弾性画像を前記被検体の組織に加わる圧力が異なる状態で複数生成し、前記圧力の変化の過程に対応させて順次前記表示手段に表示させることを特徴とする請求項１又は２に記載の超音波診断装置。
【手続補正２】
【補正対象書類名】明細書
【補正対象項目名】００１０
【補正方法】変更
【補正の内容】
【００１０】
上記課題を解決するため、本発明の超音波診断装置は、被検体の組織から計測された超音波断層データに基づいて、前記被検体の断層面の組織の弾性情報を求める手段と、該弾性情報に基づいて弾性画像を生成する手段と、前記被検体の断層面を切り替えて生成された前記弾性画像のボリュームデータから、前記被検体の組織に加わる圧力又は組織の変位が同等な状態で生成された弾性画像を選択し、該選択された弾性画像を合成して３次元弾性画像を生成する手段と、前記３次元弾性画像を表示する表示手段とを備えてなることを特徴とする。
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
遊技機設置島に固定される縦長矩形状の外枠と、
前記外枠の前面一側に軸支されて開閉自在に設けられた本体枠と、
前記本体枠内に収められ、遊技領域が形成された遊技板部と、
前記本体枠のうちの前記遊技板部が収められる箇所よりも下方から前記遊技板部の遊技領域に向けて遊技球を打ち出す発射装置と、
前記発射装置から打ち出されて前記遊技板部にまで到達した遊技球を前記遊技領域のうちの所定の打ち出し箇所まで案内するレール部材と、
前記発射装置から打ち出された遊技球を回収するように設けられた遊技球口と、
前記発射装置から打ち出された遊技球が前記遊技球口のうちの前記遊技領域に設けられる始動口に入球されたことに基づいて大当たりについての抽選処理を行う抽選制御装置と、
前記抽選制御装置により前記大当たりが当選されたときに開放される前記遊技球口のうちの前記遊技領域に設けられる大入賞口に遊技球が入球されたことに基づいて当該大入賞口への遊技球の入球数に応じた分だけの遊技球を遊技者に払い出す払出制御装置と、
前記抽選制御装置による抽選処理の結果が遊技者に示唆されるように画像図柄が複数列にて変動表示演出される表示面を有する演出画像表示装置と、
前記抽選処理が行われたとき、前記画像図柄についての変動表示演出にかかる演出制御を行う演出制御装置と、を備え、
前記払出制御装置による遊技者への遊技球の払い出しは、前記本体枠の裏側上部に設けられた賞球タンクからの払出通路を通じて行われる遊技機において、
前記本体枠は、
前記外枠の両側面内壁に隣接するように設けられる一対の本体枠側壁部、及び前記外枠の上面内壁に隣接するように設けられる本体枠上壁部を、前記外枠の前面からその後面を超えた後方の位置まで略立設された壁体として有し、前記本体枠側壁部及び前記本体枠上壁部共々、前記外枠の前面一側に軸支される開閉軸を中心に開閉可能に設けられてなり、
前記遊技板部は、
前記遊技領域の外周を区画形成する枠状の遊技領域区画枠部材と、
該遊技領域区画枠部材の後側で前記遊技領域を閉鎖するように配置される透明板状の遊技パネルと、
該遊技パネルの外周を覆うとともに該遊技パネルを前側から着脱可能に保持する保持段部、及び該保持段部の内側に形成され前記遊技領域と略対応する大きさで前後方向に貫通する貫通口を有し、前記遊技領域区画枠部材の後側に取り付けられる枠状のパネルホルダと、
を備えてなり、当該遊技板部の裏面側略全域にわたって主として演出領域と制御領域とが形成される大規模裏部材が取り付けられた１つの遊技演出制御ユニットとして、前記一対の本体枠側壁部及び前記本体枠上壁部により囲繞されて形成される前記本体枠内の大収容空間にその前面収容口からのみ収容可能とされるものであり、
前記大規模裏部材は、
前記パネルホルダの後側に取り付けられ、前側が開放された所定深さの箱状で後壁に開口部が形成された裏箱、及び前記裏箱の内部領域のうち、遊技者側から投影して見たときに前記遊技領域と重なる領域も含めて前記開口部の外周に配置される発光装飾体を有する裏ユニットと、
前記裏ユニットの前記開口部を後側から塞ぐように配置された前記演出画像表示装置と、
前記開口部の外周に設けられる前記発光装飾体の背後に取り付けられて該発光装飾体にかかる制御を行うための外周側基板、及び前記演出画像表示装置の背後に取り付けられて該演出画像表示装置にかかる制御を行うための内周側基板を含めて、複数の制御基板が奥行き方向に積層されるように配設されてなる前記演出制御装置と、によって少なくとも構成されるものであり、
前記本体枠の裏側上部に設けられた賞球タンクからの前記払出通路は、前記一対の本体枠側壁部、及び前記本体枠上壁部よりも後方から前記大収容空間を迂回するように縦方向に形成された高さ方向通路、及び該高さ方向通路からの遊技球が前記本体枠よりも前側に設けられる貯留皿まで流下される略水平の通路として形成された奥行き方向通路を有するとともに、前記奥行き方向通路は前記遊技板部の下端部に設けられた差込部を通過するように設けられてなり、
前記発射装置から打ち出されたにもかかわらず前記遊技領域の所定の打ち出し箇所まで至らなかった遊技球であるファール球が回収されるファール口を、前記外レールを逆走する遊技球に対する衝突面及び前記発射装置側へ傾斜する上面を有して前記遊技板部に形成された案内部と、前記外レールの下側端部と、の間に設けることで、当該ファール口を含めて、前記発射装置から打ち出された遊技球を回収するように設けられる前記遊技球口を前記遊技板部のみに形成するとともに、前記ファール口へ落入した前記ファール球を前記奥行き方向通路を通じて前記貯留皿まで流下させるようにした
ことを特徴とする遊技機。
【請求項２】
請求項１に記載の遊技機において、
前記本体枠に対して開閉可能な扉枠がさらに設けられてなる遊技機。
【請求項３】
請求項１または２に記載の遊技機において、
遊技者が操作可能な操作ハンドルがさらに設けられてなり、該操作ハンドルの操作に応じて前記遊技領域に遊技球が打ち込まれる遊技機。
【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
遊技盤における下部の一端側にファール口を形成したことを特徴とする遊技機。
【請求項２】
縦長矩形状に形成された外枠と、
前記外枠の前面一側に軸支されて開閉自在に設けられた本体枠と、
所定配列で複数の障害釘が前面側から植設される遊技領域、および、遊技者の操作によって打ち込まれた遊技球を当該遊技領域に向けて案内する発射案内路、を少なくとも有して前記本体枠に収容される遊技盤と
を備えた遊技機であって、
前記遊技盤の下縁部には、前記発射案内路と連通して遊技球が落入可能な開口であるファール口が形成されており、
遊技者の操作によって打ち込まれて前記発射案内路により案内される遊技球のうち、少なくとも前記遊技領域に到達せずに当該発射案内路を逆流する遊技球は、前記ファール口に落入して下流に形成される貯留部に排出される
ことを特徴とする遊技機。
【請求項３】
前記遊技盤は、
略円弧状の外レール及び当該外レールの内側に並設される内レールを有する遊技板部、を備えており、
前記遊技板部は、
前記遊技領域と、前記外レール及び前記内レールの間に当該遊技領域の上部に設けられる球投入口へ至る前記発射案内路とが形成されるとともに、
前記ファール口を前記外レールの下側端部との間に形成する案内部を有する
ことを特徴とする請求項２に記載の遊技機。
【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられた本体枠と、
前記本体枠に収容され、主として遊技領域が形成される遊技板部を有する遊技演出ユニットと、
所定の発射位置から遊技球を発射し、遊技領域の上部に設けられる球投入口から当該遊技領域へ遊技球を打ち込む発射装置と、
前記発射装置に隣接して前記本体枠に設けられ、前記発射装置にて発射される遊技球を斜め上方へ案内可能な発射レールと、
前記遊技板部に設けられ、前記発射レールにて案内される遊技球を前記球投入口へ案内可能な略円弧状の外レールと、
前記外レールの下側端部に隣接させて前記遊技板部に設けられ、前記発射装置にて発射されたにもかかわらず前記球投入口まで至らなかった遊技球であるファール球を受け入れ可能なファール口と、
前記ファール口と前記発射レールとの間に介在し、前記外レールから前記発射レールまでを一連とする整合部とを備えている
ことを特徴とする遊技機。
【請求項２】
前記整合部は、
前記発射レール側へ傾斜する傾斜面で構成され、当該傾斜面のファール球を前記発射レール側へ戻すことが可能な上面部を有している
ことを特徴とする請求項１に記載の遊技機。
【請求項３】
前記整合部は、
その上面部の前記発射レール側に近接する端部上面が、前記発射レールの端部レール面よりも下方に配置されてなる
ことを特徴とする請求項２に記載の遊技機。
【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられた本体枠と、
前記本体枠に収容され、主として遊技領域が形成される遊技板部を有する遊技演出ユニットと、
所定の発射位置から遊技球を発射し、遊技領域の上部に設けられる球投入口から当該遊技領域へ遊技球を打ち込む発射装置と、
前記発射装置に隣接して前記本体枠に設けられ、前記発射装置にて発射される遊技球を斜め上方へ案内可能な発射レールと、
前記遊技板部に設けられ、前記発射レールにて案内される遊技球を前記球投入口へ案内可能な略円弧状の外レールと、
前記遊技板部に設けられ、前記発射装置にて発射されたにもかかわらず前記球投入口まで至らなかったファール球を受け入れるファール口を前記外レールの下側端部との間に形成し前記外レールを逆走して当該外レールの下側端部から流下するファール球を前記ファール口へ落入させる外側端部、及び、発射レール側へ傾斜する傾斜面で構成され、当該傾斜面のファール球を前記発射レール側へ戻すことが可能な上面部を有する案内部と
を備えることを特徴とする遊技機。
【請求項２】
前記ファール口へ落入した前記ファール球を前記遊技板部の裏側へ排出する連通口を前記遊技板部に備えている
ことを特徴とする請求項１に記載の遊技機。
【請求項３】
前面側に配置され、遊技球を貯留する貯留皿と、
前記発射装置により遊技領域へ打ち込まれる遊技球の入賞口への入賞に基づき、所定個数の遊技球を払い出す払出装置と、
前記払出装置にて払い出される遊技球を前記貯留皿へ案内する払出通路と、
前記連通口にて前記遊技板部の裏側へ排出されたファール球を前記払出通路へ合流させる合流路とを備えている
ことを特徴とする請求項２に記載の遊技機。
【手続補正２】
【補正対象書類名】明細書
【補正対象項目名】０００７
【補正方法】変更
【補正の内容】
【０００７】
本発明の遊技機は、縦長矩形状に形成された外枠と、前記外枠の前面一側に軸支されて開閉自在に設けられた本体枠と、前記本体枠に収容され、主として遊技領域が形成される遊技板部を有する遊技演出ユニットと、所定の発射位置から遊技球を発射し、遊技領域の上部に設けられる球投入口から当該遊技領域へ遊技球を打ち込む発射装置と、前記発射装置に隣接して前記本体枠に設けられ、前記発射装置にて発射される遊技球を斜め上方へ案内可能な発射レールと、前記遊技板部に設けられ、前記発射レールにて案内される遊技球を前記球投入口へ案内可能な略円弧状の外レールと、前記遊技板部に設けられ、前記発射装置にて発射されたにもかかわらず前記球投入口まで至らなかったファール球を受け入れるファール口を前記外レールの下側端部との間に形成し前記外レールを逆走して当該外レールの下側端部から流下するファール球を前記ファール口へ落入させる外側端部、及び、発射レール側へ傾斜する傾斜面で構成され、当該傾斜面のファール球を前記発射レール側へ戻すことが可能な上面部を有する案内部とを備えることを特徴とする。
【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられた本体枠と、
前記本体枠に収容され、主として遊技領域が形成される遊技板部を有する遊技演出ユニットと、
所定の発射位置から遊技球を発射し、遊技領域の上部に設けられる球投入口から当該遊技領域へ遊技球を打ち込む発射装置と、
前記発射装置に隣接して前記本体枠に設けられ、前記発射装置にて発射される遊技球を斜め上方へ案内可能な発射レールと、
前記遊技板部に設けられ、前記発射レールにて案内される遊技球を前記球投入口へ案内可能な略円弧状の外レールと、
前記遊技板部に設けられ、前記発射装置にて発射されたにもかかわらず前記球投入口まで至らなかったファール球を受け入れるファール口を前記外レールの下側端部との間に形成する外側端部を有する案内部とを備えた遊技機であって、
前記発射装置により前記発射レールから発射された遊技球が、前記案内部及び前記ファール口を越えて前記外レールへ直接到達し、前記発射レール及び前記外レールによって、前記球投入口へ案内されるよう構成されている
ことを特徴とする遊技機。
【請求項２】
前記案内部の前記外側端部は、
前記外レールを逆走して当該外レールの下側端部から流下するファール球を前記ファール口へ落入させることが可能である
ことを特徴とする請求項１に記載の遊技機。
【請求項３】
前記案内部は、
発射レール側へ傾斜する傾斜面で構成された上面部を有し、前記傾斜面のファール球が前記発射レール側へ戻される
ことを特徴とする請求項１または請求項２に記載の遊技機。
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
遊技機設置島に取り付けられる縦長矩形状の外枠と、
該外枠の前面一側に開閉可能に軸支され、前記外枠の両側面内壁に隣接して設けられる一対の本体枠側壁部、及び前記外枠の上面内壁に隣接するように設けられる本体枠上壁部を、前記外枠よりも後方に延出された壁体として有する本体枠と、
前記一対の本体枠側壁部及び前記本体枠上壁部により囲繞されて形成される収容部に対して前記本体枠の前面側から収容される遊技演出ユニットと、を備え、
前記遊技演出ユニットは、
遊技領域の外周を区画形成する枠状の遊技領域区画枠部材と、
該遊技領域区画枠部材の後側で前記遊技領域を閉鎖するように配置される透明板状の遊技パネルと、
前記遊技領域区画枠部材の後側に取り付けられ、該遊技パネルの外周を覆うとともに該遊技パネルを着脱可能に保持する保持段部および該保持段部の内側に前記遊技領域と略対応する大きさで前後方向に貫通する貫通口を有する枠状のパネルホルダと、
前記パネルホルダの裏面に取り付けられ、各種演出を表示可能な演出画像表示装置、及び各種基板を収容可能な裏箱と、を有し、
前記裏箱は、前記パネルホルダとほぼ同等の大きさを維持しつつ奥行き方向に所定の幅を有し、前記本体枠に前記遊技演出ユニットが取り付けられた状態において、その壁面が前記本体枠側壁部および本体枠上壁部に隣接してなる
ことを特徴とする遊技機。
【請求項２】
請求項１に記載の遊技機において、
前記本体枠に対して開閉可能な扉枠がさらに設けられてなる遊技機。
【請求項３】
請求項１または２に記載の遊技機において、
遊技者が操作可能な操作ハンドルがさらに設けられてなり、該操作ハンドルの操作に応じて前記遊技領域に遊技球が打ち込まれる遊技機。
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
縦長矩形状に形成される外枠と、
前記外枠の前面一側に軸支されて開閉自在に設けられる本体枠と、
前記本体枠に収容され、遊技領域が形成される遊技板部と、を備え、
前記遊技板部は、
前記遊技領域の外周を区画形成する枠状の遊技領域区画枠部材と、
該遊技領域区画枠部材の後側で前記遊技領域を閉鎖するように配置される透明板状の遊技パネルと、
前記遊技領域区画枠部材の後側に取り付けられ、該遊技パネルの外周を覆うとともに該遊技パネルを着脱可能に保持する保持段部および該保持段部の内側に前記遊技領域と略対応する大きさで前後方向に貫通する貫通口を有する枠状のパネルホルダと、を有し、
当該遊技板部の裏面略全域には、主として演出領域と制御領域とが形成される大規模裏部材が取り付けられており、
前記大規模裏部材は、
前記パネルホルダの後側に取り付けられ、前記パネルホルダとほぼ同等の幅を維持しつつ前側が開放された所定深さの箱状で後壁に開口部を備える裏箱、及び該裏箱内で前記開口部の外周に、遊技者側から投影して見たときに前記遊技領域と重なる部分も含めて配置される装飾体を有する裏ユニットと、
前記裏ユニットの前記開口部を後側から塞ぐように配置された演出画像表示装置と、を少なくとも有し、
前記パネルホルダは、
合成樹脂材料からなり、前記裏ユニットが取り付けられる取り付け部をその縁部も含めて複数備え、これら複数の取り付け部の中から適宜の取り付け部を選択して前記裏ユニットを取り付け可能に構成されている
ことを特徴とする遊技機。
【請求項２】
請求項１に記載の遊技機において、
前記本体枠に対して開閉可能な扉枠がさらに設けられてなる遊技機。
【請求項３】
請求項１または２に記載の遊技機において、
遊技者が操作可能な操作ハンドルがさらに設けられてなり、該操作ハンドルの操作に応じて前記遊技領域に遊技球が打ち込まれる遊技機。